(57)【要約】【課題】指タッチ及びペンタッチ双方の認識が可能なタッチＩＣを提供し、別途の装置を実装することなく指タッチ認識及びペンタッチ双方の認識が可能なタッチスクリーン一体型表示装置を提供すること。【解決手段】本発明によるタッチスクリーン一体型表示装置は、第１方向と平行に配置される複数の第１電極と第２方向と平行に配置される複数の第２電極を含むパネルと、上記パネルがディスプレイ駆動モードで動作すると、共通電圧を上記複数の第１及び第２電極に印加し、上記パネルがタッチ駆動モードで動作すると、第１期間中に上記複数の第１電極に第１タッチスキャンパルスを印加し、第２期間中に上記複数の第１及び第２電極に第２タッチスキャンパルスを印加するスイッチング部と、上記第１タッチスキャンパルスを上記スイッチング部に印加する第１タッチ感知部と、上記第２タッチスキャンパルスを上記スイッチング部に印加する第２タッチ感知部と、を含む。【選択図】図１
2015049889.tif 000002
【特許請求の範囲】
【請求項１】
第１方向と平行に配置される複数の第１電極と第２方向と平行に配置される複数の第２電極を含むパネルと、
上記パネルがディスプレイ駆動モードで動作すると共通電圧を上記複数の第１電極及び第２電極に印加し、上記パネルがタッチ駆動モードで動作すると第１期間中に上記複数の第１電極に第１タッチスキャンパルスを印加し、第２期間中に上記複数の第１電極及び上記第２電極に第２タッチスキャンパルスを印加する、スイッチング部と、
上記第１タッチスキャンパルスを上記スイッチング部に印加する第１タッチ感知部と、
上記第２タッチスキャンパルスを上記スイッチング部に印加する第２タッチ感知部と、を含む、タッチスクリーン一体型表示装置。
【請求項２】
上記スイッチング部は、
上記第１期間中に上記複数の第１電極のうち少なくとも２つの第１電極ごとにグループ化して、グループ化された上記第１電極を上記第１タッチ感知部と連結することを特徴とする、請求項１に記載のタッチスクリーン一体型表示装置。
【請求項３】
上記スイッチング部は、
上記第１期間中に、上記複数の第２電極のうち少なくとも２つの第２電極ごとにグループ化して、グループ化された上記第２電極を上記第１タッチ感知部と連結することを特徴とする、請求項２に記載のタッチスクリーン一体型表示装置。
【請求項４】
上記スイッチング部は、
上記第１期間中に、上記複数の第２電極から複数の第１タッチセンシング信号を受信して上記第１タッチ感知部に伝達し、
上記第１タッチ感知部は、
上記複数の第１タッチセンシング信号を用いてタッチの有無を判定することを特徴とする、請求項１乃至３のいずれか一項に記載のタッチスクリーン一体型表示装置。
【請求項５】
上記スイッチング部は、
上記第２期間中に、上記複数の第１電極及び上記複数の第２電極それぞれを上記第２タッチ感知部に連結させることを特徴とする、請求項１乃至４のいずれか一項に記載のタッチスクリーン一体型表示装置。
【請求項６】
上記スイッチング部は、
上記第２期間中に、上記複数の第１電極及び上記複数の第２電極から複数の第２タッチセンシング信号を受信して上記第２タッチ感知部に伝達し、
上記第２タッチ感知部は、
上記複数の第２タッチセンシング信号を用いてタッチの有無を判定することを特徴とする、請求項１乃至５のいずれか一項に記載のタッチスクリーン一体型表示装置。
【請求項７】
上記第１タッチ感知部及び上記第２タッチ感知部は１つのタッチＩＣに含まれていることを特徴とする、請求項１乃至６のいずれか一項に記載のタッチスクリーン一体型表示装置。
【請求項８】
上記スイッチング部は、
上記１つのタッチＩＣに含まれることを特徴とする、請求項７に記載のタッチスクリーン一体型表示装置。
【請求項９】
上記第１タッチ感知部及び上記第２タッチ感知部は、それぞれ互いに異なるタッチＩＣに含まれていることを特徴とする、請求項１乃至８のいずれか一項に記載のタッチスクリーン一体型表示装置。
【請求項１０】
上記第１タッチ感知部及び上記第２タッチ感知部は、相互(Mutual)静電容量方式及び自己(Self)静電容量方式のうちそれぞれ互いに異なる１つの方式で感知することを特徴とする、請求項１乃至９のいずれか一項に記載のタッチスクリーン一体型表示装置。
【請求項１１】
上記スイッチング部は、
上記パネルにデータ電圧を印加するディスプレイドライバＩＣに含まれることを特徴とする、請求項１乃至１０のいずれか一項に記載のタッチスクリーン一体型表示装置。
【請求項１２】
上記第２タッチ感知部は、
上記パネル上のペン(pen)タッチを感知することを特徴とする、請求項１乃至１１のいずれか一項に記載のタッチスクリーン一体型表示装置。
【請求項１３】
パネルの駆動モードに応じて、上記パネルに含まれている複数の第１電極及び複数の第２電極に共通電圧を出力し、または、上記複数の第１電極に第１タッチスキャンパルスを、上記複数の第１電極及び上記複数の第２電極に第２タッチスキャンパルスを、それぞれ時分割して出力するスイッチング部と、
上記第１タッチスキャンパルスを上記スイッチング部に印加する第１タッチ感知部と、
上記第２タッチスキャンパルスを上記スイッチング部に印加する第２タッチ感知部と、を含むタッチＩＣ。
【請求項１４】
上記スイッチング部は、
上記パネルがディスプレイ駆動モードで動作すると上記共通電圧を出力し、上記パネルがタッチ駆動モードで動作すると第１期間中に上記第１タッチスキャンパルスを出力し、第２期間中に上記第２タッチスキャンパルスを出力することを特徴とする、請求項１３に記載のタッチＩＣ。
【請求項１５】
上記スイッチング部は、
上記第１期間中に上記複数の第１電極のうち少なくとも２つの第１電極ごとにグループ化して、グループ化された上記第１電極を上記第１タッチ感知部と連結することを特徴とする、請求項１４に記載のタッチＩＣ。
【請求項１６】
上記スイッチング部は、
上記第１期間中に上記複数の第２電極のうち少なくとも２つの第２電極ごとにグループ化し、グループ化された上記第２電極を上記第１タッチ感知部と連結することを特徴とする、請求項１５に記載のタッチＩＣ。
【請求項１７】
上記スイッチング部は、
上記第２期間中に、上記複数の第１電極及び上記複数の第２電極それぞれを上記第２タッチ感知部に連結させることを特徴とする、請求項１４に記載のタッチＩＣ。
【請求項１８】
上記第１タッチ感知部及び上記第２タッチ感知部は、相互(Mutual)静電容量方式及び自己(Self)静電容量方式のうちそれぞれ互いに異なる１つの方式でタッチの有無を判定することを特徴とする、請求項１３乃至１７のいずれか一項に記載のタッチＩＣ。
【請求項１９】
スイッチング部と、第１タッチ感知部と、第２タッチ感知部と、第１方向と平行に配置される複数の第１電極と第２方向と平行に配置される複数の第２電極を含むパネルと、を具備するタッチスクリーン一体型表示装置を動作させるための方法であって、
上記第１タッチ感知部によって、第１タッチスキャンパルスを上記スイッチング部に印加するステップと、
上記第２タッチ感知部によって、第２タッチスキャンパルスを上記スイッチング部に印加するステップと、
上記パネルがディスプレイ駆動モードで動作する間、上記スイッチング部によって、共通電圧を上記複数の第１電極及び第２電極に印加するステップと、
上記パネルがタッチ駆動モードで動作する第１期間中に、上記スイッチング部によって、上記複数の第１電極に上記第１タッチスキャンパルスを印加するステップと、
上記パネルが上記タッチ駆動モードで動作する第２期間中に、上記スイッチング部によって、上記複数の第１電極及び上記第２電極に上記第２タッチスキャンパルスを印加するステップと、
を具備する、タッチスクリーン一体型表示装置を動作させるための方法。
【発明の詳細な説明】
【技術分野】
【０００１】
本発明は表示装置に関するものであって、より具体的にはタッチＩＣ及びこれを用いたパネル内蔵型タッチスクリーン一体型表示装置に関するものである。
【背景技術】
【０００２】
タッチスクリーンは液晶表示装置(Liquid Crystal Display、LCD)、電界放出表示装置(Field Emission Display、FED)、プラズマディスプレイパネル(Plasma Display Panel、PDP)、電界発光表示装置(Electroluminescent Display、ELD)、電気泳動表示装置(Electrophoretic Display、EPD)などのような表示装置に設けられ、使用者が表示装置を見ながら指やペン等で画面に直接接触して情報を入力する入力装置の一種である。
【０００３】
特に最近は、スマートフォン、タブレットPCなどのような携帯用端末のスリム化のために、表示装置の内部にタッチスクリーンを構成するための素子を内蔵する、パネル内蔵型(In-cell type)タッチスクリーン一体型表示装置に対する需要が増加している。
【０００４】
このようなパネル内蔵型タッチスクリーン一体型表示装置は米国登録特許第７８５９５２１号に開示されたように、ディスプレイ用共通電極を複数のタッチ駆動領域と複数のタッチセンシング領域に分割し、タッチ駆動領域とタッチセンシング領域間に相互静電容量(mutual capacitance)が発生するようにすることによって、タッチ時に発生する相互静電容量の変化量を測定してタッチの有無を認識する。
【０００５】
一方、このような相互静電容量方式によってタッチを認識する方式を採用したとき、タッチする面積が小さい場合には、タッチによる静電容量の変化が小さすぎるためにタッチの認識が難しい、という問題がある。
【０００６】
具体的には、例えば最近主に用いられるペンタッチ入力の際に、入力されるペンタッチの面積が、平均的に入力される指タッチの面積と比較して極めて小さくなることが挙げられる。そのため、ペンタッチを認識することが難しく、このようなペンタッチ認識のために別途のペンタッチ入力装置を更に実装しなければならない、という問題がある。そして、相互静電容量方式によってタッチを認識する場合、指タッチを認識する際に複数の指を用いたマルチタッチ認識が可能である反面、ペンタッチを認識する際にはチャネル固有のセンシング回数が増加する、という問題がある。一方で、自己静電容量方式によってタッチを認識する場合、ペンタッチを認識する際のチャネル固有のセンシングの回数を減らすことができる反面、指タッチを認識する際に複数の指を用いたマルチタッチ認識が難しい、という問題点がある。
【先行技術文献】
【特許文献】
【０００７】
【特許文献１】米国特許第７８５９５２１号
【発明の概要】
【発明が解決しようとする課題】
【０００８】
本発明は、上述した問題を解決するためのものであって、本発明の技術的課題は、指タッチ及びペンタッチ双方の認識が可能なタッチＩＣを提供し、別途の装置を実装することなく指タッチ認識及びペンタッチ双方の認識が可能なタッチスクリーン一体型表示装置を提供することにある。
【課題を解決するための手段】
【０００９】
上述した目的を達成するための本発明によるタッチスクリーン一体型表示装置は、第１方向と平行に配置される複数の第１電極と第２方向と平行に配置される複数の第２電極を含むパネルと、上記パネルがディスプレイ駆動モードで動作すると共通電圧を上記複数の第１及び第２電極に印加し、上記パネルがタッチ駆動モードで動作すると第１期間中に上記複数の第１電極に第１タッチスキャンパルスを印加し、第２期間中に上記複数の第１及び第２電極に第２タッチスキャンパルスを印加するスイッチング部と、上記第１タッチスキャンパルスを上記スイッチング部に印加する第１タッチ感知部と、上記第２タッチスキャンパルスを上記スイッチング部に印加する第２タッチ感知部と、を具備する。
【発明の効果】
【００１０】
本発明の実施形態によると、別途のペンタッチ入力用の装置を付加することなく１つのパネル内蔵型タッチスクリーン一体型表示装置において指タッチ認識及びペンタッチ認識が可能になる。
【図面の簡単な説明】
【００１１】
【図１】図１は、本発明の実施形態によるタッチスクリーン一体型表示装置の構成を概略的に示す図面である。
【図２】図２は、図１に示された複数の第１電極及び複数の第２電極の具体的形状に関する一例を示す図面である。
【図３】図３は、図１に示されたスイッチング部の構成に関する一例を示す図面である。
【図４】図４は、本発明の実施形態によるタッチスクリーン一体型表示装置の駆動方法の一例を示すタイミング図である。
【図５】図５は、図４に示されたタッチ駆動モードにおいて第１期間及び第２期間のタッチ駆動方式の一例を示す図面である。
【図６】図６は、図４に示されたディスプレイ駆動モード及びタッチ駆動モードにおいて電極の連結状態の例を示す図面である。
【図７】図７は、図４に示されたディスプレイ駆動モード及びタッチ駆動モードにおいて電極の連結状態の例を示す図面である。
【図８】図８は、図４に示されたディスプレイ駆動モード及びタッチ駆動モードにおいて電極の連結状態の例を示す図面である。
【図９】図９は、図１に示されたスイッチング部、第１タッチ感知部及び第２タッチ感知部を含む回路部の実施形態を示す図面である。
【図１０】図１０は、図１に示されたスイッチング部、第１タッチ感知部及び第２タッチ感知部を含む回路部の実施形態を示す図面である。
【図１１】図１１は、図１に示されたスイッチング部、第１タッチ感知部及び第２タッチ感知部を含む回路部の実施形態を示す図面である。
【発明を実施するための形態】
【００１２】
以下では、添付される図面を参照して本発明の実施形態について詳細に説明する。
一方、以下では、説明の便宜上本発明の実施形態によるタッチスクリーン一体型表示装置が液晶表示装置であると例を挙げて説明することにする。しかし、本発明はこれに限定されずに、電界放出表示装置、プラズマディスプレイパネル、電界発光表示装置、電気泳動表示装置など多様な表示装置に適用されることができる。また、液晶表示装置の一般的な構成に関する説明は省略することにする。
【００１３】
図１は、本発明の実施形態によるタッチスクリーン一体型表示装置の構成を概略的に示す図面であり、図２は、図１に示された複数の第１電極及び複数の第２電極の具体的形状に関する一例を示す図面である。
図１に示されたように、タッチスクリーン一体型表示装置は、パネル(100)、スイッチング部(200)、第１タッチ感知部(300)、及び第２タッチ感知部(400)を含む。
【００１４】
パネル(100)にはタッチスクリーン(110)が内蔵されており、タッチスクリーン(110)は複数の第１電極(112)及び複数の第２電極(114)を含み、複数の第１電極(112)は第１方向と平行に配置され、複数の第２電極(114)は第２方向と平行に配置される。また、複数の第１電極(112)は複数の第１電極配線(1122)を通じてスイッチング部(200)と連結され、複数の第２電極(114)は複数の第２電極配線(1142)を通じてスイッチング部(200)と連結される。
【００１５】
例えば、図２に示されたように、複数の第１電極(112)それぞれには複数の第１サブ電極(1120)が連結されて１つの第１電極(112)を構成し、パネルのゲートライン(図示せず)方向である横方向の第１方向と平行に配置されることができる。また、複数の第１サブ電極(1120)は図示されていないがパネル(100)の非表示領域で電気的に連結されて１つの第１電極を構成することもできる。
【００１６】
また、複数の第２電極(114)それぞれは図２に示されたように、複数の第１サブ電極(1120)間でパネルのデータライン(図示せず)方向である縦方向の第２方向と平行に配置されることができる。
【００１７】
例えば、複数の第１電極(112)及び複数の第２電極(114)は、タッチスクリーン一体型表示装置がディスプレイ駆動モードで動作する場合には共通電極として機能し、タッチ駆動モードで動作する場合にはタッチ電極として機能することができる。
【００１８】
即ち、本発明の実施形態によるタッチスクリーン一体型表示装置の複数の第１及び第２電極(112、114)は、ディスプレイのための共通電極として機能するだけでなく、タッチ認識のためのタッチ電極としても機能することができる。
【００１９】
例えば、複数の第１電極(112)のそれぞれは、複数の単位画素領域と重畳するように形成された複数のブロック形態の共通電極として形成されることができ、複数の第２電極(114)のそれぞれは、複数の単位画素領域と重畳するように形成された１つのブロック形態の共通電極として形成されることができる。
【００２０】
また、複数の第１及び第２電極(112、114)は、液晶駆動のための共通電極として機能しなければならないため、ITO電極のような透明物質で形成されることができる。
【００２１】
次に、スイッチング部(200)は、パネル(100)がディスプレイ駆動モードで動作すると共通電圧を複数の第１及び第２電極(112、114)に印加し、パネルがタッチ駆動モードで動作すると第１期間中は複数の第１電極(112)に第１タッチスキャンパルスを印加し、第２期間中は複数の第１及び第２電極(112、114)に第２タッチスキャンパルスを印加する。
【００２２】
以下では、スイッチング部の具体的構成及び駆動タイミングについて図３乃至図８を参照してより具体的に説明する。
【００２３】
図３は、図１に示されたスイッチング部の構成に関する一例を示す図面である。図４は、本発明の実施形態によるタッチスクリーン一体型表示装置の駆動方法の一例を示すタイミング図である。図５は、図４に示されたタッチ駆動モードにおいて第１期間及び第２期間のタッチ駆動方式の一例を示す図面である。図６乃至図８は、図４に示されたディスプレイ駆動モード及びタッチ駆動モードにおいて電極の連結状態の例を示す図面である。
【００２４】
スイッチング部(200)は、図３に示されたように、同期信号生成部(210)、スイッチ(2100)、共通電圧生成部(220)、共通電圧連結部(2200)、第１タッチ感知部連結部(2300)、及び第２タッチ感知部連結部(2400)を含むことができる。
【００２５】
同期信号生成部(210)は、パネル(100)の駆動モードを示す同期信号(Touch Sync)を生成することができる。例えば、同期信号は、ディスプレイ駆動モードを示す第１同期信号、第１期間中のタッチ駆動モードを示す第２同期信号、及び第２期間中のタッチ駆動モードを示す第３同期信号を含むことができる。
【００２６】
例えば、図４に示されたように、本発明の実施形態によるタッチスクリーン一体型表示装置は、１フレームの間ディスプレイ駆動モード及びタッチ駆動モードに時分割されて動作し、タッチ駆動モードは、第１期間及び第２期間に時分割されて動作することができる。
【００２７】
これによって、同期信号生成部(210)は、パネルがディスプレイ駆動モードで動作する場合には第１同期信号をスイッチ(2100)に出力し、タッチ駆動モードで動作する場合には、第１期間中は第２同期信号をスイッチ(2100)に出力し、第２期間中は第３同期信号をスイッチ(2100)に出力することができる。
【００２８】
例えば、本発明の実施形態によるタッチスクリーン一体型表示装置は、図５に示されたように、第１期間中は相互静電容量(Mutual Cap)方式で指タッチ(finger touch)を感知し、第２期間中は自己静電容量(Self Cap)方式でペンタッチ(pen touch)を感知することができる。図示されていないが、第１期間中は自己静電容量(Self Cap)方式でペンタッチ(pen touch)を感知し、第２期間中は相互静電容量(Mutual Cap)方式で指タッチ(finger touch)を感知することもできる。
【００２９】
スイッチ(2100)は、第１同期信号が入力されると複数の第１及び第２電極(112、114)と共通電圧連結部(2200)とを連結させ、第２同期信号が入力されると複数の第１及び第２電極(112、114)と第１タッチ感知部連結部(300)とを連結させ、第３同期信号が入力されると複数の第１及び第２電極(112、114)と第２タッチ感知部連結部(400)とを連結させることができる。
【００３０】
共通電圧生成部(220)は、共通電圧(Vcom)を生成し、生成された共通電圧を共通電圧連結部(2200)に印加する。一方、図３では共通電圧(Vocm)はスイッチング部(200)内部で生成されるものと示したが、共通電圧(Vocm)はスイッチング部(200)外部で生成されて入力されることができ、本発明はこれに限定されない。
【００３１】
共通電圧連結部(2200)は、第１同期信号によるスイッチ(2100)動作によって複数の第１及び第２電極(112、114)それぞれを共通電圧生成部(220)に連結することができる。
【００３２】
これによって、共通電圧連結部(2200)は、共通電圧生成部(220)から共通電圧(Vcom)の供給を受けて複数の第１及び第２電極(112、114)に共通電圧(Vcom)を印加することができる。
【００３３】
結果的に、図６に示されたように、パネルが第１同期信号に応じてディスプレイ駆動モードで動作すると、複数の第１及び第２電極(112、114)は共通電圧生成部(220)と連結されることができる。
【００３４】
第１タッチ感知部連結部(2300)は、第１期間中に第２同期信号によるスイッチ(2100)動作によって、複数の第１電極のうち少なくとも２つの第１電極ごとにグループ化して第１タッチ感知部(300)に連結し、複数の第２電極のうち少なくとも２つの第２電極ごとにグループ化して第２タッチ感知部(400)に連結することができる。
【００３５】
例えば、図３に示されたように、第１タッチ感知部連結部(2300)は、複数の第１電極のうち２つの第１電極ごとにグループ化して第１タッチ感知部(300)に連結し、複数の第２電極のうち２つの第２電極ごとにグループ化して第２タッチ感知部(400)に連結することができる。また、図示されていないが、第１タッチ感知部連結部(300)は、２つ以上の第１及び第２電極ごとにグループ化して第１タッチ感知部(300)に連結することができる。
【００３６】
これによって、第１タッチ感知部連結部(2300)は、第１期間中に第１タッチ感知部(300)から印加された１つの第１タッチスキャンパルスを２つの第１電極(112)に伝達し、２つの第２電極(114)ごとに受信された第１タッチセンシング信号を第１タッチ感知部(300)に伝達することができる。即ち、パネルがタッチ駆動モードで動作すると、複数の第１電極はタッチ駆動電極として機能し、複数の第２電極はタッチセンシング電極として機能することができる。
【００３７】
結果的に、図７に示されたように、パネルが第２同期信号に応じて第１期間中にタッチ駆動モードで動作すると、複数の第１及び第２電極(112、114)は、２つの電極ごとに第１タッチ感知部(300)と連結されることができる。
【００３８】
第２タッチ感知部連結部(2400)は、第２期間中に第３同期信号によるスイッチ(2100)動作によって複数の第１電極(112)及び複数の第２電極(114)それぞれを第２タッチ感知部(400)に連結することができる。
【００３９】
例えば、図３に示されたように、第２タッチ感知部連結部(2400)は、複数の第１及び第２電極(112、114)を第２タッチ感知部(400)に一対一で対応するように連結することができる。
【００４０】
これによって、第２タッチ感知部連結部(2400)は、第２期間中に第２タッチ感知部(400)から印加された第２タッチスキャンパルスを複数の第１及び第２電極(112、114)に伝達し、複数の第１及び第２電極(112、114)ごとに受信された第２タッチセンシング信号を第２タッチ感知部(400)に伝達することができる。
【００４１】
結果的に、図８に示されたように、パネルが第３同期信号に応じて第２期間中にタッチ駆動モードで動作すると、複数の第１及び第２電極(112、114)それぞれが第２タッチ感知部(400)と連結されることができる。
【００４２】
即ち、第１期間中は、複数の第１電極及び複数の第２電極をそれぞれ少なくとも２つの電極ごとにグループ化して相互静電容量(Mutual Cap)方式でタッチの有無を判定し、第２期間中は、それぞれの第１及び第２電極ごとに自己静電容量(Self Cap)方式でタッチの有無を判定する。第２期間は、第１期間に比べてタッチ感知部の寸法が減少し、即ち、タッチ感知部の寸法が小さくなる。従って、第２期間は、シングルタッチ認識が可能な自己静電容量方式(Self Cap)によるペンタッチなどの認識に適し、第１期間は、マルチタッチ認識が可能な相互静電容量方式(Mutual Cap)による指タッチなどの認識に適する。
【００４３】
従って、本発明の実施形態によるタッチスクリーン一体型表示装置は、タッチ駆動モード時に第１期間及び第２期間に時分割して複数の第１及び第２電極を用いることによって、ペンタッチ認識のために専用の装置を別途に実装することなく、指タッチ認識及びペンタッチ認識が可能とする。また、ペンタッチ認識のためのタッチ感知部の寸法が指タッチ認識のためのタッチ感知部の寸法より小さいため、ペンタッチ認識の精度を向上させることができる。
【００４４】
再度図１及び図２を参照すると、第１タッチ感知部(300)は、第１タッチスキャンパルスをスイッチング部(200)に印加し、第２タッチ感知部(400)は、第２タッチスキャンパルスをスイッチング部(200)に印加する。
【００４５】
例えば、第１タッチ感知部(300)は、相互静電容量(Mutual Cap)方式でタッチの有無を判定する。第１タッチ感知部(300)は、第１期間中に、スイッチング部(200)を介して第１タッチスキャンパルスを複数の第１電極(112)に印加し、複数の第２電極(114)からスイッチング部(200)を介して第１タッチセンシング信号を受信し、タッチの有無を判定することができる。
【００４６】
第２タッチ感知部(400)は、自己静電容量(Self Cap)方式でタッチの有無を判定する。第２タッチ感知部(400)は、第２期間中に、スイッチング部(200)を介して第２タッチスキャンパルスを複数の第１及び第２電極(112、114)に印加し、複数の第１及び第２電極(112、114)からスイッチング部(200)を介して第２タッチセンシング信号を受信し、タッチの有無を判定することができる。
【００４７】
従って、本発明の実施形態によるタッチスクリーン一体型表示装置は、指タッチ認識のための相互静電容量方式のタッチ認識だけでなく、ペンタッチ認識のための自己静電容量方式のタッチ認識も可能とする。
【００４８】
一方、上述したスイッチング部、第１タッチ感知部及び第２タッチ感知部は本発明の実施形態によるタッチスクリーン一体型表示装置を駆動するための回路部などに含まれることができ、以下では図９〜図１１を参照してこれについてさらに詳説する。
【００４９】
図９乃至図１１は、図１に示されたスイッチング部、第１タッチ感知部及び第２タッチ感知部を含む回路部の実施形態を示す図面である。スイッチング部、第１タッチ感知部及び第２タッチ感知部の機能に関する具体的説明は上述したため以下では省略する。
【００５０】
まず、図９に示されたように、スイッチング部(200)、第１タッチ感知部(300)及び第２タッチ感知部(400)は１つのタッチＩＣ(500)に含まれることができる。
【００５１】
例えば、複数の第１電極及び第２電極に、ディスプレイ駆動モードのための共通電圧及びタッチ駆動モードのためのタッチスキャンパルスのスイッチング機能を具備するスイッチング部、相互静電容量方式でタッチを認識する第１タッチ感知部(300)及び自己静電容量方式でタッチを認識する第２タッチ感知部(400)の機能を、１つのタッチＩＣ(500)によって具備及び実行することができる。
【００５２】
次に、図１０に示されたように、スイッチング部(200)はディスプレイドライバＩＣ(20)に含まれ、第１タッチ感知部(300)及び第２タッチ感知部(400)は１つのタッチＩＣ(500)に含まれることができる。
【００５３】
ディスプレイドライバＩＣ(20)は、パネルに映像を出力するために、外部システムから転送されるタイミング信号を用いてゲート制御信号及びデータ制御信号などを生成し、入力された映像データ信号をパネルの構造に適するように再整列する機能を実行する。このために、ディスプレイドライバＩＣ(20)は、ゲートラインにスキャン信号を印加するゲート駆動部、データラインに映像データ信号を印加するデータ駆動部、及び上記構成要素を制御する制御部をさらに含むことができる。
【００５４】
例えば、ディスプレイドライバＩＣ(20)が、複数の第１電極及び第２電極に、ディスプレイ駆動モードのための共通電圧及びタッチ駆動モードのためのタッチスキャンパルスを伝達するスイッチング機能を具備することができる。また、１つのタッチＩＣ(500)が、相互静電容量方式でタッチを認識する第１タッチ感知部(300)、及び自己静電容量方式でタッチを認識する第２タッチ感知部(400)の機能を同時に実行することができる。
【００５５】
次に、図１１に示されたように、スイッチング部(200)はディスプレイドライバＩＣ(20)に含まれ、第１タッチ感知部(300)は第１タッチＩＣ(30)及び第２タッチ感知部(400)は第２タッチＩＣ(40)に含まれることができる。即ち、第１タッチ感知部及び第２タッチ感知部がそれぞれ別途のタッチＩＣに含まれることができる。
【００５６】
例えば、相互静電容量方式でタッチを認識する第１タッチ感知部(300)が含まれた第１タッチＩＣ(30)は指タッチを認識し、自己静電容量方式でタッチを認識する第２タッチ感知部(400)が含まれた第２タッチＩＣ(40)はペンタッチを認識することができる。
【００５７】
従って、本発明の実施形態によるタッチスクリーン一体型表示装置は、タッチ駆動モード時に第１期間及び第２期間に時分割して複数の第１及び第２電極を用いることによって、ペンタッチ認識のための別途の装置を実装することなく、指タッチ認識のための相互静電容量方式のタッチ認識、及びペンタッチ認識のための自己静電容量方式のタッチ認識を可能とする。また、ペンタッチ認識のためのタッチ感知部の寸法が指タッチ認識のためのタッチ部の寸法より小さいため、ペンタッチ認識の精度を向上させることができる。
【００５８】
本発明の属する技術分野の当業者は、上述した本発明がその技術的思想や必須的特徴を変更せず、他の具体的な形態で実施できるということを理解することができる。
したがって、以上で記述した実施形態は全ての面で例示されたものであり、限定的でないものと理解すべきである。本発明の範囲は、上記の詳細な説明よりも寧ろ後述する特許請求の範囲により表現されるものであり、特許請求の範囲の意味及び範囲、そしてその等価概念から導き出される全ての変更または変形された形態が本発明の範囲に含まれるものと解釈されなければならない。
【符号の説明】
【００５９】
100: パネル
110: タッチスクリーン
112: 第１電極
114: 第２電極
1122: 第１電極配線
1142: 第２電極配線
200: スイッチング部
300: 第１タッチ感知部
400: 第２タッチ感知部
【図１】
2015049889.tif 000003
【図２】
2015049889.tif 000004
【図３】
2015049889.tif 000005
【図４】
2015049889.tif 000006
【図５】
2015049889.tif 000007
【図６】
2015049889.tif 000008
【図７】
2015049889.tif 000009
【図８】
2015049889.tif 000010
【図９】
2015049889.tif 000011
【図１０】
2015049889.tif 000012
【図１１】
2015049889.tif 000013